【手続補正書】
【提出日】令和2年2月27日(2020.2.27)
【手続補正１】
【補正対象書類名】特許請求の範囲
【補正対象項目名】全文
【補正方法】変更
【補正の内容】
【特許請求の範囲】
【請求項１】
タスク照明器具と、
前記タスク照明器具からの光が当たる領域より広い領域に光を当てるアンビエント照明器具と、
電源からの電力を前記タスク照明器具に供給する検出装置と、
前記アンビエント照明器具に電力を供給する制御装置と、
を備え、
前記検出装置は、
前記タスク照明器具が着脱可能に接続される被接続手段と、
前記タスク照明器具の点灯状態を検出する状態検出手段と、
を備え、
前記制御装置は、前記状態検出手段が検出した点灯状態に基づいて、前記アンビエント照明器具から放射される光の量を調節する照明システム。
【請求項２】
前記制御装置は、前記タスク照明器具で消費される電力と前記アンビエント照明器具で消費される電力との合計が設定電力となるように、前記アンビエント照明器具から放射される光の量を調節する請求項１に記載の照明システム。
【請求項３】
前記制御装置は、前記タスク照明器具からの光が当たる領域の照度が設定照度となるように、前記アンビエント照明器具から放射される光の量を調節する請求項１に記載の照明システム。
【請求項４】
前記検出装置は、前記状態検出手段が検出した点灯状態に対応する信号を送信する送信手段を更に備え、
前記制御装置は、
前記送信手段から送信された信号を受信する受信手段と、
前記受信手段が受信した信号に基づいて、前記アンビエント照明器具から放射される光の量を調節する調光手段と、
を更に備えた請求項１から請求項３の何れか一項に記載の照明システム。
【請求項５】
複数組の前記タスク照明器具と前記検出装置とが備えられ、
前記検出装置のそれぞれに、前記被接続手段と前記状態検出手段と前記送信手段とが備えられ、
前記状態検出手段は、対応の前記タスク照明器具の点灯状態を検出し、
前記受信手段は、前記送信手段のそれぞれから送信された信号を受信する請求項４に記載の照明システム。
【請求項６】
複数組の前記タスク照明器具と前記検出装置とが備えられ、
複数の前記アンビエント照明器具が備えられ、
前記制御装置は、前記複数のアンビエント照明器具に電力を供給し、
前記検出装置のそれぞれに、前記被接続手段と前記状態検出手段と前記送信手段とが備えられ、
前記状態検出手段は、対応の前記タスク照明器具の点灯状態を検出し、
前記受信手段は、前記送信手段のそれぞれから送信された信号を受信し、
前記調光手段は、前記受信手段が受信した信号に基づいて、前記アンビエント照明器具のそれぞれから放射される光の量を調節する請求項４に記載の照明システム。
【請求項７】
タスク照明器具と、
前記タスク照明器具からの光が当たる領域より広い領域に光を当てるアンビエント照明器具と、
電源からの電力を前記タスク照明器具に供給する検出装置と、
前記アンビエント照明器具に電力を供給する制御装置と、
を備え、
前記検出装置は、
前記タスク照明器具が着脱可能に接続される被接続手段と、
前記タスク照明器具の点灯状態を検出する状態検出手段と、
前記状態検出手段が検出した点灯状態に基づいて、前記アンビエント照明器具から放射される光の量を調節するための制御指令を演算する演算手段と、
前記演算手段が演算した結果に対応する信号を送信する送信手段と、
を備え、
前記制御装置は、
前記送信手段から送信された信号を受信する受信手段と、
前記受信手段が受信した信号に基づいて、前記アンビエント照明器具を点灯させる調光制御手段と、
を備えた照明システム。
【請求項８】
第１タスク照明器具と、
第２タスク照明器具と、
前記第１タスク照明器具又は前記第２タスク照明器具の少なくとも一方からの光が当たる領域より広い領域に光を当てるアンビエント照明器具と、
電源からの電力を前記第１タスク照明器具に供給する第１検出装置と、
電源からの電力を前記第２タスク照明器具に供給する第２検出装置と、
前記アンビエント照明器具に電力を供給する制御装置と、
を備え、
前記第１検出装置は、
前記第１タスク照明器具が着脱可能に接続される第１被接続手段と、
前記第１タスク照明器具の点灯状態を検出する第１状態検出手段と、
前記第１状態検出手段が検出した点灯状態に対応する信号を送信する第１送信手段と、
を備え、
前記第２検出装置は、
前記第２タスク照明器具が着脱可能に接続される第２被接続手段と、
前記第２タスク照明器具の点灯状態を検出する第２状態検出手段と、
前記第１送信手段から送信された信号を受信する第１受信手段と、
前記第２状態検出手段が検出した点灯状態及び前記第１受信手段が受信した信号に基づいて、前記アンビエント照明器具から放射される光の量を調節するための制御指令を演算する演算手段と、
前記演算手段が演算した結果に対応する信号を送信する第２送信手段と、
を備え、
前記制御装置は、
前記第２送信手段から送信された信号を受信する第２受信手段と、
前記第２受信手段が受信した信号に基づいて、前記アンビエント照明器具を点灯させる調光制御手段と、
を備えた照明システム。
【請求項９】
タスク照明器具と、
前記タスク照明器具からの光が当たる領域より広い領域に光を当てるアンビエント照明器具と、
電源からの電力を前記タスク照明器具に供給する検出装置と、
第１制御装置と、
前記アンビエント照明器具に電力を供給する第２制御装置と、
を備え、
前記検出装置は、
前記タスク照明器具が着脱可能に接続される被接続手段と、
前記タスク照明器具の点灯状態を検出する状態検出手段と、
前記状態検出手段が検出した点灯状態に対応する信号を送信する第１送信手段と、
を備え、
前記第１制御装置は、
前記第１送信手段から送信された信号を受信する第１受信手段と、
前記第１受信手段が受信した信号に基づいて、前記アンビエント照明器具から放射される光の量を調節するための制御指令を演算する演算手段と、
前記演算手段が演算した結果に対応する信号を送信する第２送信手段と、
を備え、
前記第２制御装置は、
前記第２送信手段から送信された信号を受信する第２受信手段と、
前記第２受信手段が受信した信号に基づいて、前記アンビエント照明器具を点灯させる調光制御手段と、
を備えた照明システム。
【請求項１０】
電源からの電力をタスク照明器具に供給する検出装置と、
アンビエント照明器具に電力を供給する制御装置と、
を備え、
前記検出装置は、
前記タスク照明器具が着脱可能に接続される被接続手段と、
前記被接続手段に接続された前記タスク照明器具の点灯状態を検出する状態検出手段と、
を備え、
前記制御装置は、前記状態検出手段が検出した点灯状態に基づいて、前記アンビエント照明器具から放射される光の量を調節する照明制御装置。
【請求項１１】
前記制御装置は、前記タスク照明器具で消費される電力と前記アンビエント照明器具で消費される電力との合計が設定電力となるように、前記アンビエント照明器具から放射される光の量を調節する請求項１０に記載の照明制御装置。
【請求項１２】
前記制御装置は、前記タスク照明器具からの光が当たる領域の照度が設定照度となるように、前記アンビエント照明器具から放射される光の量を調節する請求項１０に記載の照明制御装置。
【請求項１３】
前記検出装置は、前記状態検出手段が検出した点灯状態に対応する信号を送信する送信手段を更に備え、
前記制御装置は、
前記送信手段から送信された信号を受信する受信手段と、
前記受信手段が受信した信号に基づいて、前記アンビエント照明器具から放射される光の量を調節する調光手段と、
を更に備えた請求項１０から請求項１２の何れか一項に記載の照明制御装置。
【請求項１４】
複数の前記検出装置が備えられ、
前記検出装置のそれぞれに、前記被接続手段と前記状態検出手段と前記送信手段とが備えられ、
前記受信手段は、前記送信手段のそれぞれから送信された信号を受信する請求項１３に記載の照明制御装置。
【請求項１５】
前記調光手段は、前記検出装置に接続された前記タスク照明器具のそれぞれで消費される電力と前記アンビエント照明器具で消費される電力との合計が設定電力となるように、前記アンビエント照明器具から放射される光の量を調節する請求項１４に記載の照明制御装置。
【請求項１６】
前記アンビエント照明器具に対する電力の下限値が予め設定され、
前記調光手段は、前記合計が設定電力となるように前記アンビエント照明器具から放射される光の量を調節すると前記アンビエント照明器具で消費される電力が前記下限値を下回る場合は、前記アンビエント照明器具で消費される電力が前記下限値となるように、前記アンビエント照明器具から放射される光の量を調節する請求項１５に記載の照明制御装置。
【請求項１７】
電源からの電力をタスク照明器具に供給する検出装置と、
アンビエント照明器具に電力を供給する制御装置と、
を備え、
前記検出装置は、
前記タスク照明器具が着脱可能に接続される被接続手段と、
前記被接続手段に接続された前記タスク照明器具の点灯状態を検出する状態検出手段と、
前記状態検出手段が検出した点灯状態に基づいて、前記アンビエント照明器具から放射される光の量を調節するための制御指令を演算する演算手段と、
前記演算手段が演算した結果に対応する信号を送信する送信手段と、
を備え、
前記制御装置は、
前記送信手段から送信された信号を受信する受信手段と、
前記受信手段が受信した信号に基づいて、前記アンビエント照明器具を点灯させる調光制御手段と、
を備えた照明制御装置。
【請求項１８】
電源からの電力を第１タスク照明器具に供給する第１検出装置と、
電源からの電力を第２タスク照明器具に供給する第２検出装置と、
アンビエント照明器具に電力を供給する制御装置と、
を備え、
前記第１検出装置は、
前記第１タスク照明器具が着脱可能に接続される第１被接続手段と、
前記第１被接続手段に接続された前記第１タスク照明器具の点灯状態を検出する第１状態検出手段と、
前記第１状態検出手段が検出した点灯状態に対応する信号を送信する第１送信手段と、
を備え、
前記第２検出装置は、
前記第２タスク照明器具が着脱可能に接続される第２被接続手段と、
前記第２被接続手段に接続された前記第２タスク照明器具の点灯状態を検出する第２状態検出手段と、
前記第１送信手段から送信された信号を受信する第１受信手段と、
前記第２状態検出手段が検出した点灯状態及び前記第１受信手段が受信した信号に基づいて、前記アンビエント照明器具から放射される光の量を調節するための制御指令を演算する演算手段と、
前記演算手段が演算した結果に対応する信号を送信する第２送信手段と、
を備え、
前記制御装置は、
前記第２送信手段から送信された信号を受信する第２受信手段と、
前記第２受信手段が受信した信号に基づいて、前記アンビエント照明器具を点灯させる調光制御手段と、
を備えた照明制御装置。
【請求項１９】
電源からの電力をタスク照明器具に供給する検出装置と、
第１制御装置と、
アンビエント照明器具に電力を供給する第２制御装置と、
を備え、
前記検出装置は、
前記タスク照明器具が着脱可能に接続される被接続手段と、
前記被接続手段に接続された前記タスク照明器具の点灯状態を検出する状態検出手段と、
前記状態検出手段が検出した点灯状態に対応する信号を送信する第１送信手段と、
を備え、
前記第１制御装置は、
前記第１送信手段から送信された信号を受信する第１受信手段と、
前記第１受信手段が受信した信号に基づいて、前記アンビエント照明器具から放射される光の量を調節するための制御指令を演算する演算手段と、
前記演算手段が演算した結果に対応する信号を送信する第２送信手段と、
を備え、
前記第２制御装置は、
前記第２送信手段から送信された信号を受信する第２受信手段と、
前記第２受信手段が受信した信号に基づいて、前記アンビエント照明器具を点灯させる調光制御手段と、
を備えた照明制御装置。